(57)【要約】      （修正有）【課題】商品展示室の清掃作業を容易にすることが可能な自動販売機の商品見本展示装置を提供する。【解決手段】本体キャビネット１の前面を開閉する片開き式の外扉２に画成され、前面の透明パネル６と背面の中扉４により覆われた商品展示室５に商品見本８を展示してなる自動販売機の商品見本展示装置であって、左右方向に延在するとともに複数の商品見本８を載置する取付基台３０（商品展示台）を上下方向に多段に設け、前記取付基台３０を外扉２に回動自在に取付けることにより、商品展示室５の背面を構成する中扉４から商品展示台をなくして中扉４の表面（前面）の清掃を容易に行うことができるようにする。【選択図】図１
2011181059.tif 000002
【特許請求の範囲】
【請求項１】
断熱筐体として形成された本体キャビネットと、この本体キャビネットの前面を開閉する片開き式の外扉を備え、前記外扉に画成され、前面の透明パネルと背面の中扉により覆われた商品展示室に商品見本を展示してなる自動販売機の商品見本展示装置において、左右方向に延在するとともに複数の商品見本を載置する商品展示台を上下方向に多段に設け、前記商品展示台を透明パネルに接近・離隔する態様で外扉に個別に回動自在に取付けたことを特徴とする自動販売機の商品見本展示装置。
【請求項２】
請求項１に記載の自動販売機の商品見本展示装置において、商品展示台は左右方向の一端を外扉にヒンジ結合され、他端を外扉に係止してなることを特徴とする自動販売機の商品見本展示装置。
【請求項３】
請求項１または請求項２のいずれかに記載の自動販売機の商品見本展示装置において、商品展示台は当該商品展示台に載置される商品見本に対応して販売促進用表示体と係合する複数の係合部を有することを特徴とする自動販売機の商品見本展示装置。
【請求項４】
請求項１に記載の自動販売機の商品見本展示装置において、商品展示台は外扉に回動自在に軸支され、透明パネルに接近した展示位置と透明パネルから離隔したメンテナンス位置において後方に傾倒した姿勢に回動することを特徴とする自動販売機の商品見本展示装置。
【発明の詳細な説明】
【技術分野】
【０００１】
本発明は、自動販売機の外扉前面に画成された商品展示室に商品見本を展示する自動販売機の商品見本展示装置に関する。
【背景技術】
【０００２】
この種の自動販売機として缶入り飲料，ペットボトル入り飲料等の商品を販売する一般的な自動販売機は断熱筐体としてなる本体キャビネットの前面に片開き式の外扉が設けられ、当該外扉には複数の商品見本を展示する商品展示室が形成されている。この商品展示室の前面は商品見本を外部から視認できるように透明パネルで覆われ、前記商品展示室の背面を形成する中扉には左右方向に延在する横長の商品展示台が上下方向に複数段配設され、これらの商品展示台に商品見本が載置されている。前記商品見本は缶入り飲料，ペットボトル入り飲料等の容器形状と同一であってその表面に缶入り飲料，ペットボトル入り飲料等の意匠を施した本体部の底部に嵌合部が形成されている一方、前記商品展示台の載置面には円形若しくは半円状の開口部が複数穿孔されている。そして、前記商品見本の嵌合部を商品展示台の開口部に嵌合させることにより商品展示室に商品見本を横一列に並べて展示し、商品展示台の下部に配設された蛍光灯により照明するように構成されている（例えば、特許文献１）。
【先行技術文献】
【特許文献】
【０００３】
【特許文献１】特開平１０−７９０７９号公報
【発明の概要】
【発明が解決しようとする課題】
【０００４】
ところで、この種の飲料自動販売機においては利用者の購買意欲を削ぐことがないよう清潔でなければならず、特に自動販売機の顔となる外扉の商品展示室内が汚れていると利用者に不潔なイメージを与えてしまう。このため、自動販売機への商品の補充時や保守・点検時に商品展示室内を清掃するようにされている。前記商品展示室の清掃には中扉表面（前面）、透明パネルの表面（表・裏面）などの拭き取り作業があるが、前記中扉には商品展示台が固着されているので、その表面の拭き取り作業を行う場合に清掃作業性が著しく悪い。すなわち、中扉に商品展示台が固着されている場合に中扉の表面の拭き取り作業を行うには商品展示台に展示された商品見本を商品展示台から取り外さねばならず、また、清掃後には商品展示台に商品見本を装着せねばならない。かかる点、上記特許文献１に記載された発明においては商品展示台を前方へ傾動可能とし、これにより商品見本の着脱を不要として商品見本の着脱作業の煩わしさをなくした点で優れている。しかしながら、特許文献１に記載された自動販売機においても商品展示台は依然として中扉に係合した状態にあるため、商品展示台が中扉に固着されている状態と変わりがない。このため、中扉の表面（前面）の拭き取り作業を行う場合に商品展示台が邪魔となって中扉の表面の拭き取り作業を一息に行うことができないとともに商品展示台に外力を加えて脱落しないように注意しながら拭き取り作業をせねばならない。したがって、商品展示室の清掃作業が甚だ煩雑であるという課題を有する。
【０００５】
そこで、本発明は上記の点に鑑みなされたものであり、その目的は前記課題を解決し、商品展示室の清掃作業を容易にすることが可能な自動販売機の商品見本展示装置を提供することにある。
【課題を解決するための手段】
【０００６】
上記目的を達成するために請求項１に係る発明は、断熱筐体として形成された本体キャビネットと、この本体キャビネットの前面を開閉する片開き式の外扉を備え、前記外扉に画成され、前面の透明パネルと背面の中扉により覆われた商品展示室に商品見本を展示してなる自動販売機の商品見本展示装置において、左右方向に延在するとともに複数の商品見本を載置する商品展示台を上下方向に多段に設け、前記商品展示台を透明パネルに接近・離隔する態様で外扉に個別に回動自在に取付けたことを特徴とする。
【０００７】
また、請求項２に係る発明は、請求項１に記載の自動販売機の商品見本展示装置において、商品展示台は左右方向の一端を外扉にヒンジ結合され、他端を外扉に係止してなることを特徴とする。
【０００８】
また、請求項３に係る発明は、請求項１または請求項２のいずれかに記載の自動販売機の商品見本展示装置において、商品展示台は当該商品展示台に載置される商品見本に対応して販売促進用表示体と係合する複数の係合部を有することを特徴とする。
【０００９】
さらに、請求項４に係る発明は、請求項１に記載の自動販売機の商品見本展示装置において、商品展示台は外扉に回動自在に軸支され、透明パネルに接近した展示位置と透明パネルから離隔したメンテナンス位置において後方に傾倒した姿勢に回動することを特徴とする。
【発明の効果】
【００１０】
本発明の請求項１に係る発明は、前面開口が断熱内扉により閉塞され、断熱筐体として形成された本体キャビネットと、この本体キャビネットの前面を開閉する片開き式の外扉を備え、前記外扉に画成され、前面の透明パネルと背面の中扉により覆われた商品展示室に商品見本を展示してなる自動販売機の商品見本展示装置において、左右方向に延在するとともに複数の商品見本を載置する商品展示台を上下方向に多段に設け、前記商品展示台を透明パネルに接近・離隔する態様で外扉に個別に回動自在に取付けたことにより、商品展示室を構成する中扉から商品展示台をなくすことができるので中扉の表面（前面）の清掃を容易に行うことができ、また、透明パネルの裏面の清掃も商品展示台を透明パネルから離隔することにより行うことができるので商品展示室の清掃性を向上することが可能となる。また、中扉の表面（前面）に商品展示台がないことからその表面全域を広告宣伝、例えばその表面全域に亘る一枚のポスターを貼着して広告宣伝を行うことができるという効果を有する。
【００１１】
また、本発明の請求項２に係る発明は、請求項１に記載の自動販売機の商品見本展示装置において、商品展示台は左右方向の一端を外扉にヒンジ結合され、他端を外扉に係止してなることにより、常時は商品展示台を外扉に固定して商品見本を展示することができるとともに商品見本の交換作業も商品展示台の背面側から行うことができ、この場合、商品見本の商品展示台への嵌合状態を容易に確認することができるという効果を有する。
【００１２】
また、本発明の請求項３に係る発明は、請求項１または請求項２のいずれかに記載の自動販売機の商品見本展示装置において、商品展示台は当該商品展示台に載置される商品見本に対応して販売促進用表示体と係合する複数の係合部を有することにより、商品展示台の任意の位置に販売促進用表示体を配設、例えば、新発売の商品の表示、或いはキャンペーン期間の表示を行う販売促進用表示体を商品見本に対応して配設することができ、言い換えれば、新発売の商品見本を商品展示台の任意の位置に配設した場合にも当該商品見本の近傍に販売促進用表示体を配設することができるという効果を有する。
【００１３】
さらに、請求項４に係る発明は、請求項１に記載の自動販売機の商品見本展示装置において、商品展示台は外扉に回動自在に軸支され、透明パネルに接近した展示位置と透明パネルから離隔したメンテナンス位置において後方に傾倒した姿勢に回動することにより、常時は商品展示台を外扉に固定して商品見本を展示することができるとともに商品見本の交換作業も商品展示台の背面側から行うことができることは勿論のこと、商品展示台をメンテナンス位置に回動させることによって透明パネルの清掃を容易に行うことができるという効果を有する。
【図面の簡単な説明】
【００１４】
【図１】本発明の実施の形態である自動販売機を示し、（ａ）はその全体構成を示す正面図、（ｂ）は（ａ）の自動販売機の外扉、および中扉を開放した状態を示す斜視図である。
【図２】図１の外扉の上部に敷設された装飾ユニットを示し、（ａ）は装飾ユニットを敷設した状態の前面側斜視図、（ｂ）は（ａ）の装飾ユニットを分解して示す前面側斜視図である。
【図３】図２の外扉を背面側から見た図を示し、（ａ）は装飾ユニットを敷設した状態の斜視図、（ｂ）は装飾ユニットを取り外した状態の斜視図である。
【図４】図１の商品展示台を構成する取付基台を示し、（ａ）はその正面側から見た斜視図、（ｂ）はその背面側から見た斜視図である。
【図５】図４の取付基台に装着されるホルダーを示し、（ａ）はその正面側から見た斜視図、（ｂ）はその背面側から見た斜視図である。
【図６】ホルダーを取付基台に装着した状態を示す斜視図である。
【図７】図１の販売促進用表示体を示す斜視図である。
【図８】図７の販売促進用表示体と取付け方向が異なる販売促進用表示体を示す斜視図である。
【図９】図７および図８のそれぞれの販売促進用表示体を、商品展示台を構成する取付基台に取付けた状態を示す斜視図である。
【図１０】図１の照明光源としての発光ダイオードモジュールを示す斜視図である。
【図１１】発光ダイオードモジュールのパネル押え金具への組付け状態を示す斜視図である。
【図１２】本発明の実施の形態２である自動販売機を示し、（ａ）はその全体構成を示す正面図、（ｂ）は（ａ）の自動販売機の外扉、および中扉を開放した状態を示す斜視図である。
【図１３】図１２の商品展示台を示し、（ａ）は商品展示台を分解した斜視図、（ｂ）は固定部材の側面図、（ｃ）は商品展示台を外扉に組付けた状態の斜視図である。
【図１４】図１２の商品展示台をメンテナンス位置で後方に傾倒させた状態を示す一部断面で表す要部斜視図である。
【発明を実施するための形態】
【００１５】
以下、本発明における実施の形態である自動販売機を図面に基づいて説明する。
図１は本発明の実施の形態１である自動販売機の全体構成を示す。図において、１は前面が開放した断熱筐体として形成され、標準の外形寸法からなる本体キャビネットである。この本体キャビネット１の庫内は不図示の断熱仕切壁により左右方向に複数の商品収納室に区分され、各商品収納室には缶入り飲料，ペットボトル飲料等の商品を収容するとともにその下端に後述する商品選択ボタンの操作により商品を搬出する商品払出機構を有する商品収納ラックが収設されている。また、各商品収納室の下部には当該各商品収納室を冷却もしくは加熱して商品収納ラックに収容した商品を冷却・加熱する冷却／加熱ユニットが配設されている。そして、本体キャビネット１の前面開口は片開き式の断熱内扉３により閉塞されている。
【００１６】
前記本体キャビネット１の前面には不図示のヒンジ機構により開閉自在な片開き式の態様であって標準の外形寸法からなる外扉２が設けられ、この外扉２の前面の上部域には商品展示室５が設けられている。この商品展示室５は下方から上方に末広がりとなるようにデザインされており、その前面側が透明パネル６で覆われ、背面側が中扉４により覆われている。前記透明パネル６の上下左右の周縁はその裏面側に配設された上下左右のパネル押え金具２１〜２４（図１の（ｂ）参照）により保持され、これらのパネル押え金具２１〜２４が商品展示室５の周囲の側壁を形成するため白色塗装が施されている。詳細については後述するが、商品展示室５内には上下方向に複数段、この実施の形態では４段の商品展示台を構成する取付基台３０が外扉２に回動自在に配設されている。この取付基台３０には商品見本８を個別に保持するホルダー４０が装着され、前記取付基台３０とホルダー４０とにより商品展示台が構成される。また、前記取付基台３０には新発売の商品、若しくはキャンペーン期間中のおすすめ商品などを表示する販売促進用表示体５０が取付けられている。そして、前記ホルダー４０に保持された商品見本８に対応して透明パネル６の前面には商品選択ボタン１０が配設されている。なお、前記上側のパネル押え金具２１には照明光源７００（後述する発光ダイオードモジュールからなる）が配設されている。
【００１７】
前記商品展示室５の背面壁を形成する中扉４は左端側をヒンジ（不図示）により外扉２に開閉自在に取付けられている。この中扉４は上部領域が外扉２外形形状に対応する四角形状に形成されるとともに下部領域が商品展示室５の外形形状と一致する形状に形成され、その周囲を補強のために折り曲げられた薄板板金からなり、その表面には白色塗装が施されている。前記中扉４におけるヒンジとは反対側の端部にフックを有する係止片４０１とスライド片４０２が設けられ、前記係止片４０１が外扉２の扉枠に設けた係合ピン２０１に係合し、前記スライド片４０２がパネル押え金具２４の背面に設けた係合金具２０２に係合することによって中扉４が外扉２に係止されるように構成されている。
【００１８】
前記外扉２の略中央部における正面視右側領域には接客部７が設けられ、この接客部７には硬貨投入口７１、紙幣挿入口７４、返却レバー７３、投入金額，庫内温度，販売中，準備中等の各種情報をディスプレイに表示する販売情報表示部７２が組付けられている。また、外扉２における高さ方向略中央であって右端側（反ヒンジ機構側）にはシリンダー錠付きの主ロック装置９が設けられ、前記外扉２における下部領域には硬貨返却口２ａ、商品販売口２ｂが設けられている。そしてまた、外扉２の正面視右側領域には外扉２の下端から上端まで曲線により連続するとともに上下端部側の幅が広く中央付近の幅が狭い合成樹脂製のリボン１１が敷設され、このリボン１１は外扉２の表面（前面）に対して前方側に突出する態様であたかも三次元的に浮き出ているような印象を与えるように構成されている。なお、図１の（ｂ）における符号７５は硬貨投入口７１から投入された硬貨の真偽を識別する硬貨識別装置（不図示）、紙幣挿入口７４から挿入された紙幣を識別する紙幣識別装置（不図示）を覆う防盗カバーである。
【００１９】
標準の外形寸法からなる前記外扉２の上部にはモジュール部品としての装飾ユニット６０が着脱自在に敷設されており、その装着状態および取り外し状態を図２および図３に示している。この装飾ユニット６０は図２の（ｂ）示すように、外扉２の扉枠２０に固定される外扉２の横幅に一致した幅を有する基台６１と、前記外扉２の前面に位置して商品展示室５にまで延在する装飾部材６２と、外扉２の前面に敷設したリボン１１に対応するリボン部材６３とからなる。前記基台６１は上縁が湾曲するとともにその周縁を後方に折り曲げて薄い箱型形状に形成した薄板鋼板製の本体部材６１１（図３参照）と、本体部材６１１の後方側開口を閉塞する補強部材６１２（図３参照）とからなる。また、前記装飾部材６２は上縁が基台６１と同様に湾曲した薄板鋼板製になり、その幅は商品展示室５に対応し、上方に向けて末広がりの商品展示室５に一致させて末広がりに形成されている。さらに、前記リボン部材６３はリボン１１と同一の合成樹脂材料により形成され、外扉２の前面に敷設したリボン１１の延長軌跡に一致する略台形状に形成されている。前記装飾ユニット６０のモジュール部材としての組立は、基台６１の本体部材６１１の後方側の開口を閉塞するように補強部材６１２を組付けた上で、基台６１の前面側の所定位置に装飾部材６２およびリボン部材６３を組付けて完了する。
【００２０】
前記モジュール部品としての装飾ユニット６０の外扉２への組付は次のとおりである。なお、自動販売機は標準品として形成されたものであるが、図２の（ｂ）および図３の（ｂ）に示すように、中扉２の扉枠２０には左右一対の係止金具２００が追加装備されている。この係止金具２００は略Ｚ字状に形成され、その一辺を扉枠２０にねじにより固着することにより他片が扉枠２０より離隔する態様で取付けられている。また、基台６１の底面（本体部材６１１の下縁）には前記係止金具２００に対応して当該係止金具２００と係合する係合穴（不図示）が形成されている。したがって、装飾ユニット６０の外扉２への組付の際、すなわち、装飾ユニット６０を扉枠２０の上部に載置する際、基台６１の底面に形成した係合穴に係止金具２００における扉枠２０から離隔した他片を嵌め込んで係合させたうえで基台６１の補強部材６１２と扉枠２０に跨る略Ｚ字状の固定金具６４（図３参照）をねじ止めする。これにより装飾ユニット６０が外扉２の上部に敷設され、この場合、係止金具２００と基台６１の係合穴との係合により装飾ユニット６０の背面側への傾倒を防止することができる。
【００２１】
ここで、装飾ユニット６０の装飾部材６２の表面（前面）には商品展示室５の背面を形成する中扉４と同様に白色塗装が施されているものである。このように、商品展示室５の色彩と装飾部材６２の色彩が同一であって、かつ、装飾部材６２が外扉２に画成された商品展示室５の上端にまで延在していることによって宛ら商品展示室５が拡大された印象を与えることができる。すなわち、装飾ユニット６０の装飾部材６２と商品展示室５の色彩が同一であった場合にも装飾部材６２が商品展示室５の上端まで延在していない場合には外扉２に画成された商品展示室５と装飾部材６２との間が外扉２（商品展示室５の周囲のフレームであって商品展示室５の色彩とは異なる色彩が施されている）により区切られることから装飾部材６２を商品展示室５の一部として印象付けることができない。かかる点、装飾部材６２の色彩を商品展示室５の色彩と同一とし、かつ、装飾部材６２を商品展示室５にまで延在させたことによって前述したように外扉２に画成された商品展示室５が装飾部材６２の領域まで拡大したような印象を与えることができる。したがって、従来においては外扉２に画成された商品展示室５内に設けていた広告文字，図柄，ロゴタイプなどの表示媒体を装飾部材６２に移動させることができる。この場合、装飾部材６２は専ら広告文字，図柄，ロゴタイプなどの表示媒体に使用できることから商品展示室５内に設けていた表示媒体よりも格段に大きく表示することができるので絶大な宣伝効果を得ることが可能となり、また、外扉２に画成された商品展示室５は広告文字，図柄，ロゴタイプなどの表示媒体の制約を受けることなく専ら商品見本８の展示に使用することができるものである。
【００２２】
また、装飾部材６０のリボン部材６３は外扉２に敷設したリボン１１と同一の材料・色彩からなるものであることからリボン１１と一体である印象、つまり、リボン１１を延長させて表示させることができる。したがって、曲線模様であって三次元的に浮き出すような印象を与えるリボン１１をより一層際立たせることが可能となり、他の自動販売機との差別化を図ることができる。なお、基台６１の前面を臨む面には外扉２の表面の塗装色と同一の色により塗装されているものである。
【００２３】
さて、商品展示室５内に上下方向に複数段、この実施の形態では上下方向に４段配設される取付基台３０を図４に示している。図に示すように取付基台３０は左右方向に細長い薄板鋼板からなり、その前面板部３１の上下端縁を後方側に適宜折り曲げて上部脚片３２，下部脚片３３を備えた縦断面略「コ」字状に形成されてなり、中扉４と同様に白色塗装が施されている。前記前面板部３１を左右方向に延在してなる取付基台３０の左右両端は補強のために横断面が階段状となるよう折り曲げられ、その一端、図では正面視左端には蝶番９０の一片が固着され、その他端にはフック３４が形成されている。前記前面板部３１には左右方向に複数の窓穴３１１が等ピッチで開口されるとともに当該窓穴３１１の下部にそれぞれ係合穴３１２が形成されている。また、前記前面板部３１と上部脚片３２との接続部である稜線上には前記窓穴３１１に対して左右対称位置に一対の嵌合穴３１３，３１３が形成されている。さらに、上部脚片３２および下部脚片３３は互いに外方（下方、上方）を向く縦断面略「く」字状に折り曲げられており、それぞれ「く」字状に折り曲げられた上部脚片３２および下部脚片３３の峰には前記窓穴３１１に対応して左右一対の係止穴３２１および係止穴３３１（図４の（ｂ）参照）が形成されている。
前述したように、取付基台３０の一端（図では正面視左端）には蝶番９０の一片が固着されている。この蝶番９０の他片は図１に示した外扉２における商品展示室５の側壁を形成する上下左右のパネル押え金具２１〜２４のうち、左側のパネル押え金具２３に固着される。これにより前記取付基台３０が蝶番９０を支点として透明パネル６に接近・離隔する態様で外扉２に回動自在に軸支される。また、前記取付基台３０の他端に形成されたフック３４は商品展示室５の側壁を形成する右側のパネル押え金具２４に植設した係合ピン（不図示）に係止されるように構成されている。
【００２４】
前記取付基台３０に着脱自在に装着されるホルダー４０は透明な合成樹脂により形成され、図５に示すように、水平面をなす商品見本載置部４１とこの商品見本載置部４１の後端から下方に延在する固着部４２からなる。前記商品見本載置部４１には商品見本８（の嵌合部）を嵌め込んで固定する嵌合穴４１１が形成されている。また、固着部４２の上方側の左右両端には後方に突出するように形成されたフック片４２１，４２１と、左右の切欠きにより撓み易く形成された係止爪４２２を備えている。前記フック片４２１，４２１は取付基台３０の嵌合穴３１３，３１３に対応して当該嵌合穴３１３，３１３を貫通するとともに取付基台３０を構成する薄板板金の厚み分だけ固着部４２の面から後方に突出するように形成されている。そして、前記係止爪４２２は前記取付基台３０の窓穴３１１を貫通するとともに前記取付基台３０を構成する薄板板金の厚み分だけ固着部４２の面から後方に突出するように形成され、係止爪４２２の自由端に形成した鉤４２３は前方を向くように形成されている。
【００２５】
前記ホルダー４０を取付基台３０に装着した状態を図６に示している。図に示すようにホルダー４０は取付基台３０の前方側から装着される。すなわち、ホルダー４０の固着部４２における係止爪４２２と、左右一対のフック片４２１，４２１を取付基台３０の窓穴３１１と嵌合穴３１３，３１３に同時に貫通させたうえでホルダー４０を下方にスライドさせる。この場合、係止爪４２２の鉤４２３が窓穴３１１を形成する下縁に当接するが、係止爪４２２が可撓性を有することから係止爪４２２の撓みによって鉤４２３が窓穴３１１の下縁を乗り越え、当該鉤４２３が取付基台３０の前面板部３１の背壁を摺動しながら下降する。ホルダー４０を下方にスライドさせるとホルダー４０のフック片４２１，４２１が取付基台３０の嵌合穴３１３，３１３の縁部に係合するようになる一方、係止爪４２２の鉤４２３が取付基台３０の係合穴３１２に接近する。さらにホルダー４０を下方にスライドさせて前記係止爪４２２の鉤４２３が係合穴３１２に達すると前記係止片４２２の復元力により鉤４２３が係合穴３１２に嵌まり込む。このようにしてホルダー４０を取付基台３０に装着すると、係合穴３１２に嵌まり込んだ係止爪４２２の鉤４２３によりホルダー４０の上下方向の抜け止めとなる一方、嵌合穴３１３，３１３に嵌まり込んだフック片４２１，４２１によりホルダー４０の前方への傾倒が防止される。このように、取付基台３０に装着されたホルダー４０における商品見本載置部４１の嵌合穴４１１に商品見本８（図１参照）が取付けられる。前記商品見本８はこの実施の形態１においてペットボトル入り飲料の容器形状または缶入り飲料の容器形状の周囲にそれぞれの飲料の意匠を施した薄肉の合成樹脂成形品の本体部の底部に嵌合部が形成されてなり、商品見本８の嵌合部を前記嵌合穴４１１に嵌合させて取付けられるが、この取付け方法については周知であるのでここでは詳細な説明は省略する。
【００２６】
前記取付基台３０に着脱自在に装着される販売促進用表示体５０は透明な硬質の合成樹脂からなり、図７に示すように、本体部５１と、この本体部５１と下方で連結されるとともに前記本体部５１と前後に重ね合わせるように形成された挟持部５２とからなる縦断面がヘアピン形状で正面視矩形状をなしている。また、前記本体部５１の上縁には左右一対のフック５３，５３が突設され、これらのフック５３，５３は互いに逆方向を向くように形成されている。この左右一対のフック５３，５３は取付基台３０における下部脚片３３における「く」字状の峰に形成したところの、窓穴３１１に対応して設けた左右一対の係止穴３３１，３３１を貫通する大きさであって、そのフック５３，５３の間のピッチは前記係止穴３３１，３３１のピッチに一致し、そのフック５３，５３の基部（本体部５１から立ち上がる部分）における外側端縁間の寸法が係止穴３３１，３３１の両端間の寸法に一致、つまり、フック５３，５３を係止穴３３１，３３１に対峙させた場合にフック５３，５３の鉤が係止穴３３１，３３１よりも外側に位置するように形成されている。前記左右一対の係止穴３３１，３３１が販売促進用表示体５０のフック５３，５３と係合する係合部を構成している。
【００２７】
前記販売促進用表示体５０の本体部５１と挟持部５２の間には、新発売の商品の表示、或いはキャンペーン期間の表示などが表示されたポスター（不図示）がその表示面を前方（本体部５１側）にして挿入される。この場合、挟持片５２を本体部５１から離隔するように引き離して両者間に隙間を形成することによりポスターを挿入することができる。そして、ポスターを挿入した後に挟持部５２に加えた外力を解除すると挟持部５２が復元して本体部５１との間にポスターを挟持固定する。このようにしてポスターを挟持固定した販売促進用表示体５０を取付基台３０に取付けた状態を図９に示す。この場合、販売促進用表示体５０は取付基台３０における下部脚片３３に取付けられる。この取付けにあたって、販売促進用表示体５０におけるフック５３，５３の鉤が下部脚片３３の係止穴３３１，３３１よりも外側に位置するように形成されているので、そのままでは装着することができない。そこで、販売促進用表示体５０の可撓性を利用し、その左右両端を摘んで弓状に湾曲させることによりフック５３，５３を互いに接近させたうえでそれぞれの係止穴３３１，３３１に嵌め込む。そして、フック５３，５３の鉤が係止穴３３１，３３１を貫通した状態で販売促進用表示体５０に加えた外力を解除すると販売促進用表示体５０が復元してフック５３，５３が係止穴３３１，３３１に係合し、これにより販売促進用表示体５０が取付基台３０の下部脚片３３に垂下状態で装着される。
【００２８】
前記販売促進用表示体５０は取付基台３０における下部脚片３３に係合して垂下する態様で装着されるものであるのに対し、取付基台３０における上部脚片３２に係合して起立する態様で装着される販売促進用表示体５００を図８に示している。この販売促進用表示体５００も透明な硬質の合成樹脂製になり、図に示すようにこの販売促進用表示体５００の本体部５０１および挟持部５０２は前記販売促進用表示体５０の本体部５１および挟持部５２と同一であり、前記販売促進用表示体５０との相違点は、本体部５０１の上方からヘアピン状に折り返した固定部５０３を設けた点である。なお、固定部５０３の下縁には左右一対のフック５０４，５０４が突設され、これらにフック５０４，５０４は互いに逆方向を向くように形成されている。また、このフック５０４，５０４は取付基台３０における上部脚片３２における「く」字状の峰に形成したところの、窓穴３１１に対応して設けた左右一対の係止穴３２１，３２１のピッチに一致するように形成されている。前記左右一対の係止穴３２１，３２１が販売促進用表示体５００のフック５０４，５０４と係合する係合部を構成している。
【００２９】
この販売促進用表示体５００へのポスターの挿入方法は販売促進用表示体５０と同一であり、また、販売促進用表示体５００の取付基台３０の上部脚片３２への装着方法も販売促進用表示体５０の下部脚片３３への装着方法と同一であるので、ここでは説明を省略する。なお、販売促進用表示体５００は図９に示すように取付基台３０の上部脚片３２に起立状態で装着される。
【００３０】
前記商品展示室５の周壁を構成する上下左右のパネル押え金具２１〜２４（図１の（ｂ）参照）のうち、上側のパネル押え金具２１に配設される照明光源７０を図１０に示す。この実施の形態における照明光源は発光ダイオードモジュール７０で構成されている。図に示すように前記発光ダイオードモジュール７０は遮光材からなる短冊状の台座７１と、拡散用レンズ７２と、取付金具７３と、配線接続用コネクタ７４からなる。前記台座７１には複数の発光ダイオード素子（不図示）を実装した回路基板が配設されており、当該回路基板に接続された配線接続用コネクタ７４は拡散用レンズ７２を貫通して引き出されている。前記発光ダイオードモジュール７０の取付金具７３の左右両端部はねじ固定部として形成されており、その一方の端部のねじ固定部には寸法誤差を吸収するために開放したねじ挿通穴として形成されている。
前述した発光ダイードモジュール７０は図１に示した商品展示室５の周囲の側壁を形成する上側のパネル押え金具２１に取付けられ、当該パネル押え金具２１へ発光ダイードモジュール７０を組付けた状態を図１１に示す。図に示すように、上側のパネル押え金具２１には発光ダイードモジュール７０がその取付金具７３（図９参照）の左右両端部のねじ固定部を介してねじにより固着されており、発光ダイードモジュール７０が商品展示室５に露出するように組付けられている。この場合、上側のパネル押え金具２１には３個の発光ダイードモジュール７０が取付けられ、それぞれ配線接続用コネクタ７４を介して直列接続されている。このように、発光ダイオードモジュール７０を上側のパネル押え金具２１に配設した状態で自動販売機に通電すると光ダイオードモジュール７０から照射される照明光により商品展示室５内が明るく照明される。
【００３１】
前述したように、標準の自動販売機における外扉２の上部に装飾ユニット６０を敷設し、また、外扉２の商品展示室５内に上下方向に複数配設される取付基台３０を透明パネル６に接近・離隔する態様で外扉２に個別に回動自在に取付け、前記取付基台３０に装着したホルダー４０に商品見本８を取付けた一例を図１に示している。
図に示すように、標準の自動販売機における外扉２の上部に装飾ユニット６０を敷設した場合、装飾ユニット６０における装飾部材６２（図２参照）が外扉２に画成された商品展示室５の上端まで延在し、かつ、その色彩を商品展示室５の色彩と同一としたことによって商品展示室５が装飾部材６２の領域まで拡大したような印象を与えることができる。そして、前記装飾部材６２は専ら広告文字，図柄，ロゴタイプなどの表示媒体の表示場所として使用することができる。したがって、従来においては商品展示室５内に商品見本８の制約を受けながら設けていた表示媒体の表示に対して格段に大きく表示することができるので絶大な宣伝効果を得ることが可能となり、また、外扉２に画成された商品展示室５は広告文字，図柄，ロゴタイプなどの表示媒体の制約を受けることなく専ら商品見本８の展示に使用することができるものである。さらに、装飾ユニット６０のリボン部材６３（図２参照）は外扉２に敷設したリボン１１と同一の材料・色彩からなるものであることからリボン１１と一体である印象、つまり、リボン１１を延長させて表示させることができる。したがって、曲線模様であって三次元的に浮き出すような印象を与えるリボン１１をより一層際立たせることが可能となり、他の自動販売機との差別化を図ることができる。
【００３２】
また、前記商品展示室５の清掃作業を行う場合、商品展示室５内に上下方向に複数配設される取付基台３０は透明パネル６に接近・離隔する態様で外扉２に個別に回動自在に取付けられていることから、商品展示室５の背面を形成する中扉４の前面（表面）には拭き取り作業の邪魔となるものが存在しないのでその拭き取り作業を簡単かつ迅速に行うことができる。ここで、商品展示室５の前面を形成する透明パネル６（の裏面）を清掃する場合には、取付基台３０を透明パネル６から離隔させれば透明パネル６の拭き取り作業を容易に行うことができる。なお、前述したように中扉４の前面（表面）には取付基台３０が存在しないことからその表面全域に亘る一枚の大きなポスターを貼着することができるので、この点においても大きな宣伝効果を得ることができるものである。
【００３３】
さらに、取付基台３０に装着されたホルダー４０への商品見本８の取り付け、若しくは交換する場合には取付基台３０が透明パネル６に接近した状態、つまり、取付基台３０のフック３４（図４参照）を商品展示室５の側壁を形成する右側のパネル押え金具２４に植設した係合ピン（不図示）に係止させたままの状態で、その背面側からホルダー４０に商品見本８を取り付けることができるので、従来のように中扉に商品展示台を取付けていたものと遜色なく商品見本８の取付け、若しくは交換作業を行うことができるうえ、商品見本８が飲料容器を鉛直方向に切断した半割り形状である場合には寧ろ作業時間を短縮できる。これは、半割り形状の商品見本８をホルダー４０に取付ける場合、半割りされた左右両端を内側に萎ませつつホルダー４０の嵌合穴４１１（図５参照）に嵌合させることになるが、前方側から商品見本８を取付ける際には後方側を視認することができないことから必要以上に商品見本８を萎ませる結果、商品見本８が破損するおそれがある。これを避けるために商品見本８の萎ませる量を手加減しながら慎重に行わねばならならず、熟練を要するものである。かかる点、取付基台３０の後方側からホルダー４０に商品見本８を取付ける場合には商品見本８の後方側を視認することができるので、半割りされた商品見本８の左右両端を適切に萎ませながら取付けることができ、熟練者でなくとも容易に取付けることが可能となる。
【００３４】
また、取付基台３０には、当該取付基台３０に装着されたホルダー４０に取付けて展示される商品見本８に対応して販売促進用表示体５０（５００）と係合する複数の係止穴３３１，３２１を有することから、新発売の商品の表示、或いはキャンペーン期間の表示を行う販売促進用表示体５０（５００）を取付基台３０の任意の位置に配設することができる。言い換えれば、新発売の商品見本８を取付基台３０の任意に位置に展示した場合にも当該商品見本８の近傍に販売促進用表示体５０（５００）を配設することができるので、商品見本８の展示位置が制約されないという効果を有する。
なお、上述した実施の形態において装飾ユニット６０は基台６１および装飾部材６２をそれぞれ個別の部品とし、また、基台６１は強固なものとするために本体部材６１１と補強部材６１２により構成したものについて説明したが、これに限るものではなく一枚の薄板鋼板を適宜折り曲げて基台と装飾部材を一体に形成することもできる。
また、商品展示台を取付基台３０とホルダー４０との２部品に分割したものについて説明したが、これらが一体に形成されているものでもよく、取付基台３０に着脱自在に装着されるホルダー４０の材料も透明な合成樹脂に限られるものではない。さらに、ホルダー４０には商品見本載置部４１に加えて、商品価格（例えば、￥１２０），冷温状態（例えば、寒色の背景色に白抜きの「ＣＯＬＤ」、若しくは暖色の背景色に白抜きの「ＨＯＴ」）が表示された商品情報表示体を保持して掲示する掲示部を設けることもできるものである。
【００３５】
さらにまた、販売促進用表示体５０，５００は個別の商品見本８に対応した大きさのもの限らず、複数の商品見本８に跨って、若しくは取付基台３０に展示された全ての商品見本８に跨るような大きさとすることもできるものである。
（実施例２）
本発明の実施の形態２である自動販売機を図１２乃至図１４を用いて説明する。図において図１に示した実施の形態１の自動販売機と同一のものには同一の符号を付して詳細な説明は省略する。
【００３６】
図１２乃至図１４に示す実施の形態２の自動販売機が実施の形態１の自動販売機と相違する点は、実施の形態１の自動販売機における取付基台３０（商品展示台）に変えて商品展示台８０を用いた点であり、その他の構成は実施の形態１の自動販売機と同一であるのでその説明は省略する。なお、図１２における商品展示室５に上下方向に複数段、この実施の形態では４段に配設された商品展示台８０の構造および商品展示室５への取付け方法は同一であるので、図１３に示した商品展示台８０の構造および商品展示室５への取付け方法については、図１２における４段の商品展示台８０を代表して上方から３段目の商品展示台８０を示している。
【００３７】
図１３に示すように、商品展示台８０は、商品見本を載置する載置台８１と、この載置台８１が上方から被さるように組付けられる左右一対の固定部材８２，８２とからなる。前記載置台８１は上面部８１１と、この上面部８１１の両端から下方に延在された左右側壁８１２，８１２と、前面部８１３および後面部８１４（図１４参照）を有して下方が開放する縦断面略「コ」字状に形成されている。前記上面部８１１には略円形の嵌合穴８Ａ１が左右方向に複数、この例では１２個並設され、それぞれの嵌合穴８Ａ１に商品見本が嵌合保持される。また、前記載置台８１の左右側壁８１２，８１２にはそれぞれ内側に向かって突出するピン８３，８３が取付けられている。前記ピン８３，８３は円柱状の上面側の周面一部を切欠き、該切欠き部を平坦面とした縦断面Ｄ形（図１４参照）に形成されている。さらに、前記載置台８１の前面部８１３には各商品見本に対応して複数、この例では１２個の四角形状の透光穴８Ａ２が設けられ、そして、この前面部８１３の下端には前方側に折り返して形成したガイド部８１３１が長手方向に延在して設けられている。また、載置台８１の後面部８１４における前側には、前記前面部８１３のガイド部８１３１と同一の平面位置に左右方向に延在する溝状のガイド部（不図示）が設けられている。
【００３８】
前記載置台８１には合成樹脂フィルムよりなる環状の冷温表示部材８４が前面部８１３のガイド部８１３１および後面部８１４のガイド部に支持される態様で、前記前面部８１３および後面部８１４のそれぞれ前側を通るとともに載置台８１の左右両端で折り返して掛け渡されている。前記冷温表示部材８４は略半周に区画してそれぞれ自動販売機の庫内に収納した商品の保存状態（冷温状態）に対応する冷温表示が施されている。例えば、温蔵状態の場合には各商品見本８に対応して白抜きの文字（例えば、「あったか〜い」）の背景に暖色の背景色（例えば、赤色）が印刷され、冷蔵状態の場合には各商品見本８に対応して白抜きの文字（例えば、「つめた〜い」）の背景に寒色の背景色（例えば、青色）が印刷されてなる。前記載置台８１の後面部８１４には開口８１４１（図１４参照）が形成され、この開口８１４１を介して前記冷温表示部材８４に指を当てて当該冷温表示部材８４を周回させる、つまり、冷温表示状態を切り替えることができる。また、載置台８１の前面部８１３のガイド部８１３１には、透明な合成樹脂フィルムにより形成され、かつ、各商品見本８に対応してそれぞれの販売価格が表示された価格表示部材８５が前記冷温表示部材８４の前面側に位置するように装着される。
【００３９】
前記載置台８１とともに商品展示台８０を構成する左右一対の固定部材８２，８２は縦断面が略Ｌ字形に形成されている。この固定部材８２，８２は底面側の係止片８２Ａ，８２Ａの折り曲げ方向が逆方向である以外は両者とも同一の構成であるので、以下図において右側の固定部材８２を代表して説明する。図１３の（ｂ）に示すように、固定部材８２の板面には上面に向けて一部が開放した異形溝８２０形成されている。ここで、異形溝８２０は、前記載置台８１の左右側壁８１２，８１２に取付けられたピン８３を回転可能に軸支する後半域の円弧状溝部８２１と、該円弧状溝部８２１に連ねて前半域に形成したスライド溝部８２２と、円弧状溝部８２１とスライド溝部８２２との中間位置から固定部材８２の上縁との間に切欠き開口した挿脱溝部８２３とを組合せた形状になり、前記円弧状溝部８２１と挿脱溝部８２３の溝幅は前記ピン８３の直径より僅かに大きく、スライド溝部８２２の高さ寸法は前記ピン８３の断面Ｄ形の高さ（切欠平坦面までの寸法）に合わせて設定されている。前記固定部材８２，８２における係止片８２Ａ，８２Ａは、商品展示室５の周壁を構成する左右のパネル押え金具２３，２４（図１２の（ｂ）も参照）に切起しにより形成された突起片２３Ａ，２４Ａにねじ止めされ、これによって固定部材８２，８２が外扉２に取付けられる。
【００４０】
前記商品展示台８０を外扉２へ組付けた状態を図１３の（ｃ）に示し、以下、その組付けについて説明する。まず、左右一対の固定部材８２，８２の係止片８２Ａ，８２Ａを商品展示室５の周壁を構成する左右のパネル押え金具２３，２４の突起片２３Ａ，２４Ａにねじ止めして取付ける。次いで、前記固定部材８２，８２に載置台８１を組付ける。その際、前記載置台８１を固定部材８２，８２の上方に位置させてその左右側壁８１２，８１３が固定部材８２，８２の外側に位置させるとともに前記左右側壁８１２，８１２から内側に突出するピン８３，８３を固定部材８２，８２の板面に形成された挿脱溝部８２３，８２３の開口端に対峙させたうえで、当該ピン８３，８３を、挿脱溝部８２３を通過させて異形溝８２０内に挿入させる。この後、前記ピン８３，８３をスライド溝部８２２，８２２に嵌め込むように載置台８１を透明パネル６側に向けてスライド移動させると両者が結合されて商品展示台８０が外扉２に組付けられる。この場合、載置台８１の左右側壁８１２，８１２に取付けられたピン８３，８３が縦断面Ｄ形に形成されるとともに異形溝８２０のスライド溝部８２２の高さ寸法が前記ピン８３の縦断面Ｄ形の高さ（切欠き部平坦面までの寸法）に合わせて設定されているので、載置台８１は商品展示室５の前面を形成する透明パネル６に接近した展示位置で水平姿勢に維持される。
【００４１】
前記載置台８１が透明パネル６に接近した展示位置で水平姿勢に維持される一方、図１４に示すように、載置台８１を透明パネル６から離隔する態様で後方に回動させることができる。図１４は外扉２に組付けた商品展示台８０を後方側（外扉２の背面側）の斜め上方から見た斜視図であり、図では商品展示台８０の載置台８１における正面視右側の側壁８１２を切断した断面を表している。前記載置台８１を透明パネル６から離隔する態様で後方に回動させるには、前記載置台８１を透明パネル６に接近した展示位置から後方にスライド移動させることにより載置台８１の左右側壁８１２，８１２に取付けられたピン８３，８３が異形溝８２０，８２０のスライド溝部８２２，８２２から抜け出して後方の円弧状溝部８２１，８２１へ移動する。前記円弧状溝部８２１，８２１に移動したピン８３，８３は、当該円弧状溝部８２１，８２１の溝幅が前記ピン８３，８３の直径より僅かに大きく形成されていることから前記スライド溝部８２２，８２２のように溝部によって回転を阻止されることなく回転することができるようになる。前記ピン８３，８３をスライド溝部８２２，８２２から円弧状溝部８２１，８２１に移動させたメンテナンス位置で載置台８１を後方に回動させると、前記載置台８１はピン８３，８３を支点として後方側に傾倒する。前記ピン８３，８３を支点として後方側に傾倒する載置台８１はその一部が固定部材８２，８２に当接することにより傾倒した姿勢に維持される。このように、透明パネル６から離隔する態様でメンテナンス位置に移動した載置台８１を後方に傾倒させることによって透明パネル６の背面の清掃（拭き取り作業）を容易に行うことができる。また、載置台８１の嵌合穴８Ａ１に嵌合保持された商品見本を交換する際にも当該載置台８１は透明パネル６から離隔する態様でメンテナンス位置に移動した状態で後方に傾倒して保持されるので、商品見本の交換作業を容易に行うことができる。
なお、前述した実施の形態２にかかる自動販売機においては、庫内に収納された商品の冷温状態を表示するため商品展示台８０に装着される冷温表示手段として環状の冷温表示部材８４について説明したが、これに変えて板状、例えば、価格表示部材８５と同様な形状の冷温表示部材を用いることもできるものである。
【００４２】
前述したとおり本発明によれば、断熱筐体として形成された本体キャビネット１と、この本体キャビネット１の前面を開閉する片開き式の外扉２を備え、前記外扉２に画成され、前面の透明パネル６と背面の中扉４により覆われた商品展示室５に商品見本８を展示してなる自動販売機の商品見本展示装置において、左右方向に延在するとともに複数の商品見本８を載置する商品展示台（取付基台３０，商品展示台８０）を上下方向に多段に設け、前記商品展示台（取付基台３０，商品展示台８０）を透明パネル６に接近・離隔する態様で外扉２に個別に回動自在に取付けたことにより、商品展示室５の背面を構成する中扉４から商品展示台（取付基台３０，商品展示台８０）をなくすことができるので中扉４の表面（前面）の清掃を容易に行うことができる。また、透明パネル６の裏面の清掃も商品展示台（取付基台３０，商品展示台８０）を透明パネル６から離隔するように回動させることにより行うことができるので商品展示室５の清掃性を向上することが可能となる。また、中扉４の表面（前面）に商品展示台（取付基台３０，商品展示台８０）がないことからその表面全域を広告宣伝、例えば表面全域に亘る一枚のポスターを貼着して広告宣伝を行うことができるという効果を有する。
【符号の説明】
【００４３】
１…本体キャビネット、２…外扉、４…中扉、５…商品展示室、６…透明パネル、８…商品見本、１０…商品選択ボタン、１１…リボン、２１，２２，２３，２４…パネル押え金具、３０…取付基台、３２…上部脚片、３３…下部脚片、４０…ホルダー、５０、５００…販売促進用表示体、６０…装飾ユニット、６２…装飾部材、６３…リボン部材、７０…発光ダイオードモジュール（照明光源）、８０…商品展示台、８１…載置台、８２…固定部材、８３…ピン、９０…ヒンジ、３２１，３３１…係止穴（係合部）。
【図１】
2011181059.tif 000003
【図２】
2011181059.tif 000004
【図３】
2011181059.tif 000005
【図４】
2011181059.tif 000006
【図５】
2011181059.tif 000007
【図６】
2011181059.tif 000008
【図７】
2011181059.tif 000009
【図８】
2011181059.tif 000010
【図９】
2011181059.tif 000011
【図１０】
2011181059.tif 000012
【図１１】
2011181059.tif 000013
【図１２】
2011181059.tif 000014
【図１３】
2011181059.tif 000015
【図１４】
2011181059.tif 000016